(57)【要約】【課題】操作部５１を有する操作機構を具えた電子機器において、筐体２に対する操作機構の組立作業を従来よりも容易とする。【解決手段】本発明に係る電子機器においては、操作機構は、筐体２に対して直線上若しくは円弧線上を往復移動可能に取り付けられた操作部材４と、筐体２と操作部材４の間に介在して操作部５１の操作に弾性反発力を与える弾性部材７とを具え、該弾性部材７は、操作部材４からの離脱を阻止する離脱阻止手段によって操作部材４に取り付けられている。【選択図】図５
2012185351.tif 000002
【特許請求の範囲】
【請求項１】
操作部を有する操作機構を具えた電子機器において、該操作機構は、筐体に対して直線上若しくは円弧線上を往復移動可能に取り付けられた操作部材と、前記筐体と操作部材の間に介在して前記操作部の操作に弾性反発力を与える弾性部材とを具え、該弾性部材は、前記操作部材からの離脱を阻止する離脱阻止手段によって操作部材に取り付けられていることを特徴とする電子機器。
【請求項２】
前記操作部材は、前記操作部を有する第１構成部材と、筐体内部の機能部へ繋がる第２構成部材とを、互いに一体移動可能に連結して構成され、前記第１構成部材及び第２構成部材の何れか一方の構成部材に前記弾性部材が取り付けられ、前記第２構成部材の移動に連動して前記機能部が機能を変化させる請求項１に記載の電子機器。
【請求項３】
前記弾性部材はトーションスプリングであって、該トーションスプリングは、コイル部と、該コイル部から外側に突出して拡縮方向に弾性を発揮する一対のアーム部とを具え、前記コイル部が前記一方の構成部材に係止されると共に、前記一対のアーム部の両先端部が、前記一方の構造部材に形成されて両アーム部の拡開方向の弾性変形を受け止めるべき一対の突片によって前記一方の構成部材に係止されており、前記筐体には、前記トーションスプリングの一対のアーム部の両先端部を挟んで両側に、一対の受け止め片が形成されている請求項２に記載の電子機器。
【請求項４】
前記トーションスプリングの一対のアーム部の両先端部にはそれぞれＵ字状に屈曲するＵ字状部が形成され、該Ｕ字状部が前記一方の構成部材の端縁部をその両面側から挟持して該端縁部に係合し、且つ該Ｕ字状部の先端が前記突片に当接しており、該Ｕ字状部によって前記離脱阻止手段が構成されている請求項３に記載の電子機器。
【発明の詳細な説明】
【技術分野】
【０００１】
本発明は、デジタルカメラやビデオカメラ等の電子機器に関するものである。
【背景技術】
【０００２】
デジタルカメラやビデオカメラは、筐体にズーム操作のための操作部を具え、該操作部は、ズーム操作機構を介して筐体内部のズーム可変装置に繋がっている。
ズーム操作機構は、前記操作部が突設されて筐体に対して回動が可能な操作部材と、該操作部材を筐体に対して回転付勢するトーションスプリングとを具え、該トーションスプリングは、そのコイル部が筐体にビスによって軸支されると共に、該コイル部に突設された一対のアーム部によって前記操作部材の双方向の回動に弾性反発力が付与されている(特許文献１参照)。
従って、トーションスプリングの弾性に抗して操作部を何れか一方向に操作すると、操作部材の回動に伴ってズーム可変装置が動作する。
【０００３】
上述のズーム操作機構においては、トーションスプリングがビスによって筐体に取り付けられている。
【０００４】
一方、トーションスプリングがビスによって軸支されたズーム操作機構の他のズーム操作機構として、図１０〜図１２に示すズーム操作機構が採用されている。
該ズーム操作機構は、筐体を構成するカバーキャビネット(９)に形成された円形の取り付け部(91)と、取り付け部(91)の表面側に回動可能に配備されたズーム操作ノブ(96)と、取り付け部(91)の裏面側に回動可能に配備されたスプリング保持片(99)と、取り付け部(91)とスプリング保持片(99)の間に介在するトーションスプリング(98)とを具え、ズーム操作ノブ(96)とスプリング保持片(99)とはビス(100)(100)によって互いに連結され、一体として双方向に回動する。
【０００５】
ズーム操作ノブ(96)には操作部(97)が突設されている。
又、ズーム操作ノブ(96)の表面には、その中央部にコイルバネ(95)を介してシャッター釦(94)が設置されている。
【０００６】
トーションスプリング(98)は、スプリング保持片(99)がズーム操作ノブ(96)と連結される前の組立工程では、両アーム部が弾性反発力によって図１１の如くカバーキャビネット(９)の一対のピン(92)(92)に圧接された状態で、カバーキャビネット(９)の取り付け部(91)に仮止めされている。
この状態で、トーションスプリング(98)の一対のアーム部の両先端部を挟んで両側には、図１２に示す如くスプリング保持片(99)に形成された一対の押圧壁(99)(99)が対向配備されている。
【０００７】
従って、図１０に示すズーム操作ノブ(96)の操作部(97)を何れか一方向に操作すると、ズーム操作ノブ(96)とスプリング保持片(99)とが一体に回動し、スプリング保持片(99)の回動によって、スプリング保持片(99)の何れか一方の押圧壁(99)がトーションスプリング(98)の何れか一方の先端部を押圧し、トーションスプリング(98)を弾性変形させる。
このスプリング保持片(99)の回動に連動してズーム可変装置(図示省略)が動作する。
【０００８】
その後、ズーム操作ノブ(96)から手を離せば、トーションスプリング(98)の付勢によってズーム操作ノブ(96)は元の中立位置に戻ることになる。
【０００９】
図１０〜図１２に示すズーム操作機構の組立工程においては、図１１に示す如くトーションスプリング(98)をカバーキャビネット(９)に仮止めした後、ズーム操作ノブ(96)に対して図１０の如くスプリング保持片(99)をビス止め固定する。
ここでトーションスプリング(98)は単にカバーキャビネット(９)に仮止めするだけである。
【先行技術文献】
【特許文献】
【００１０】
【特許文献１】特開２０１０−１９７７８９号公報
【発明の概要】
【発明が解決しようとする課題】
【００１１】
しかしながら、図１０〜図１２に示すズーム操作機構の組立工程においては、図１１の如くカバーキャビネット(９)にトーションスプリング(98)を仮止めした状態で、ズーム操作ノブ(96)に対してスプリング保持片(99)を固定する際、スプリング保持片(99)がトーションスプリング(98)に接触して、トーションスプリング(98)が弾性反発力によってカバーキャビネット(９)から外れてしまう虞があるため、カバーキャビネット(９)に対するズーム操作機構の組立作業が困難である問題があった。
【００１２】
そこで本発明の目的は、筐体に対する操作機構の組立作業が従来よりも容易となる電子機器を提供することである。
【課題を解決するための手段】
【００１３】
本発明に係る電子機器は、操作部を有する操作機構を具え、該操作機構は、筐体に対して直線上若しくは円弧線上を往復移動可能に取り付けられた操作部材と、前記筐体と操作部材の間に介在して前記操作部の操作に弾性反発力を与える弾性部材とを具え、該弾性部材は、前記操作部材からの離脱を阻止する離脱阻止手段によって操作部材に取り付けられている。
【００１４】
上記本発明の電子機器においては、操作部を一方向に操作して、操作部材を直線若しくは円弧線に沿って一方向に移動させることにより、弾性部材が弾性変形し、該操作部材の移動によって、機器が発揮すべき１つの機能(例えばズーム機能)に変化が生じる。
その後、操作部から手を離すと、弾性部材の弾性反発力によって操作部材が元の位置に戻ることになる。
【００１５】
上記本発明の操作機構の組立工程においては、弾性部材を離脱阻止手段により操作部材に取り付けた後、該操作部材を筐体に対して組み付ける。この際、弾性部材は操作部材からの離脱が阻止されているので、弾性部材が操作部材から外れる虞は低い。従って、操作機構の組立作業は容易なものとなる。
【００１６】
具体的態様において、前記操作部材は、前記操作部を有する第１構成部材と、筐体内部の機能部へ繋がる第２構成部材とを、互いに一体移動可能に連結して構成され、前記第１構成部材及び第２構成部材の何れか一方の構成部材に前記弾性部材が取り付けられ、前記第２構成部材の移動に連動して前記機能部が機能を変化させる。
【００１７】
該具体的態様によれば、操作機構の組立工程においては、弾性部材を離脱阻止手段により前記一方の構成部材に取り付けた後、該構成部材と他方の構成部材とを筐体の両側に配置し、両構成部材を互いに連結する。
この際、弾性部材は前記一方の構成部材からの離脱が阻止されているので、弾性部材が該構成部材から外れる虞は低い。
【００１８】
又、具体的な態様において、前記弾性部材はトーションスプリングであって、該トーションスプリングは、コイル部と、該コイル部から外側に突出して拡縮方向に弾性を発揮する一対のアーム部とを具え、前記コイル部が前記一方の構成部材に係止されると共に、前記一対のアーム部の両先端部が、前記一方の構造部材に形成されて両アーム部の拡開方向の弾性変形を受け止めるべき一対の突片によって前記一方の構成部材に係止されており、前記筐体には、前記トーションスプリングの一対のアーム部の両先端部を挟んで両側に、一対の受け止め片が形成されている。
【００１９】
該具体的態様によれば、操作部を操作することによって前記一対の構成部材が一体に回動すると、前記一方の構成部材の何れか一方の突片がトーションスプリングの一方のアーム部を押圧し、トーションスプリングは、他方のアーム部が筐体の一方の受け止め片により受け止められた状態で、両アーム部が閉じる方向に弾性変形する。
【００２０】
更に具体的な態様において、前記トーションスプリングの一対のアーム部の両先端部にはそれぞれＵ字状に屈曲するＵ字状部が形成され、該Ｕ字状部が前記一方の構成部材の端縁部をその両面側から挟持して該端縁部に係合し、且つ該Ｕ字状部の先端が前記突片に当接している。
【００２１】
該具体的態様によれば、トーションスプリングの一対のアーム部の両先端部に形成されているＵ字状部が、前記一方の構成部材の端縁部に係合することによって、トーションスプリングの構成部材からの離脱が阻止される。
【発明の効果】
【００２２】
本発明に係る電子機器によれば、筐体に対する操作機構の組立作業が従来よりも容易なものとなる。
【図面の簡単な説明】
【００２３】
【図１】図１は、本発明の一実施態様であるデジタルカメラの斜視図である。
【図２】図２は、該デジタルカメラにおけるズーム操作機構の中立状態をカバーキャビネットの裏面側から見た図である。
【図３】図３は、該デジタルカメラにおけるズーム操作機構を一方向に操作した状態をカバーキャビネットの裏面側から見た図である。
【図４】図４は、図２に示すズーム操作機構からスプリング保持片を取り外した状態を示す図である。
【図５】図５は、該デジタルカメラにおけるズーム操作機構の分解斜視図である。
【図６】図６は、トーションスプリングが取り付けられたスプリング保持片の拡大斜視図である。
【図７】図７は、スプリング保持片からトーションスプリングを取り外した状態を示す拡大斜視図である。
【図８】図８は、図６とは異なる方向から見た拡大斜視図である。
【図９】図９は、図７とは異なる方向から見た拡大斜視図である。
【図１０】図１０は、従来のデジタルカメラにおけるズーム操作機構を示す斜視図である。
【図１１】図１１は、同上のズーム操作機構の背面図である。
【図１２】図１２は、同上のズーム操作機構の分解斜視図である。
【発明を実施するための形態】
【００２４】
以下、本発明をデジタルカメラに実施した形態につき、図面に沿って具体的に説明する。
本発明の一実施形態であるデジタルカメラは、図１に示す如く、筐体(１)の前面部に撮影レンズ(11)を具えると共に、筐体(１)の上面壁を形成するカバーキャビネット(２)に、シャッター釦(３)と、操作部(51)を有する操作部材(４)とが配備されている。
【００２５】
操作部(51)を何れか一方向に回動操作すると、操作部材(４)は、図２に示す中立位置から、例えば図３に示す一方の回動端まで回動し、該操作部材(４)に形成された連結部(60)が繋がっている機能部としてのズーム可変装置(12)が動作することになる。
尚、ズーム可変装置(12)は具体的には、周知の光学機構等の機械的な構成やスイッチ等の電気的な構成を有している。
【００２６】
操作部材(４)は、図５に示す如く、カバーキャビネット(２)に形成された円形の取り付け部(21)の表面側に配置される円盤状のズーム操作ノブ(５)と、取り付け部(21)の裏面側に配置される円盤状のスプリング保持片(６)と、カバーキャビネット(２)とスプリング保持片(６)の間に介在するトーションスプリング(７)と、ズーム操作ノブ(５)に対してスプリング保持片(６)を固定する２本のビス(８)(８)とを具えている。
【００２７】
ズーム操作ノブ(５)には操作部(51)が突設されている。
又、ズーム操作ノブ(５)の中央部には、コイルバネ(31)を介してシャッター釦(３)が配置される。
【００２８】
カバーキャビネット(２)の取り付け部(21)には、ビス(８)(８)が貫通すべき一対の円弧孔(23)(23)が開設されている。
又、ズーム操作ノブ(５)の裏面には、図４に示す如く、前記ビス(８)(８)がねじ込まれるべき一対のボス(52)(52)が突設されている。
【００２９】
トーションスプリング(７)は、図７及び図９に示す如く、コイル部(71)と、該コイル部(71)から外側へ突出して拡縮方向に弾性を有する一対のアーム部(72)(72)とを具え、アーム部(72)(72)の先端部にはＵ字状に屈曲するＵ字状部(73)(73)が形成されている。
【００３０】
スプリング保持片(６)は、円板部(61)の中央部にボス(64)を具えると共に、円板部(61)の背面に一対の突片(62)(62)を具え、ボス(64)の両側には前記ビス(８)(８)が貫通すべき一対の貫通孔(63)(63)が開設されている。又、ボス(64)の外周面には爪片(65)が突設されている。更に、円板部(61)の外周部に前記連結部(60)が形成されている。
【００３１】
図６及び図８に示す様に、トーションスプリング(７)は、コイル部(71)がスプリング保持片(６)のボス(64)を包囲して設置され、該コイル部(71)がボス(64)の爪片(65)によって係止されている。
又、トーションスプリング(７)は、一対のアーム部(72)(72)がスプリング保持片(６)の外周部に向かって伸び、Ｕ字状部(73)(73)がスプリング保持片(６)の円板部(61)の外周端縁部を両面側から挟持して、スプリング保持片(６)に係止されている。
これによって、トーションスプリング(７)はスプリング保持片(６)からの離脱が阻止されている。
【００３２】
そして、トーションスプリング(７)の一対のＵ字状部(73)(73)の先端は、スプリング保持片(６)の一対の突片(62)(62)の内側面にそれぞれ圧接されて、トーションスプリング(７)の一対のアーム部(72)(72)の開き方向の弾性反発力が受け止められている(図２参照)。
この状態で、トーションスプリング(７)の一対のＵ字状部(73)(73)は、スプリング保持片(６)の外周面から外側へ突出している。
【００３３】
上述のズーム操作機構がカバーキャビネット(２)に組み立てられた状態では、図２に示す様に、トーションスプリング(７)の一対のＵ字状部(73)(73)を挟んで両側に、カバーキャビネット(２)の一対の受け止め片(22)(22)が対向することになる。
【００３４】
従って、操作部材(４)の操作部(51)を何れか一方向に回動操作すると、操作部材(４)は、図２に示す中立位置から例えば図３に矢印で示す様に一方向に回動し、これに伴って、何れか一方の突片(62)がトーションスプリング(７)の何れか一方のＵ字状部(73)を押圧する。これによって、トーションスプリング(７)は、他方のＵ字状部(73)がカバーキャビネット(２)の何れか一方の受け止め片(22)により受け止められた状態で、一対のアーム部(72)(72)が閉じる方向に弾性変形する。
この操作部材(４)の回動に伴うスプリング保持片(６)の連結部(60)の変位に連動して、ズーム可変装置(図示省略)が動作する。
【００３５】
その後、操作部(51)から手を離せば、トーションスプリング(７)の弾性反発力によって、操作部材(４)は図２に示す中立位置まで戻ることになる。
【００３６】
上述のズーム操作機構の組立工程においては、図６及び図８に示す如くトーションスプリング(７)をスプリング保持片(６)に係止した後、図５に示すカバーキャビネット(２)の取り付け部(21)の両側に、ズーム操作ノブ(５)とスプリング保持片(６)を配置し、ズーム操作ノブ(５)に対してスプリング保持片(６)をビス(８)(８)によって固定する(図３参照)。
【００３７】
ここで、トーションスプリング(７)は上述の如くスプリング保持片(６)からの離脱が阻止されているので、ズーム操作ノブ(５)にスプリング保持片(６)を固定するときに、トーションスプリング(７)がスプリング保持片(６)から容易に離脱することはない。従って、ズーム操作機構の組立作業は容易なものとなる。
【００３８】
尚、本発明の各部構成は上記実施の形態に限らず、特許請求の範囲に記載の技術的範囲内で種々の変形が可能である。例えば、トーションスプリング(７)は、ズーム操作ノブ(５)の裏面に係止することも可能であり、この場合、トーションスプリング(７)をズーム操作ノブ(５)に係止した状態で、該ズーム操作ノブ(５)をカバーキャビネット(２)の取り付け部(21)に取り付ける。
【００３９】
又、トーションスプリング(７)に替えて周知の種々の弾性部材、例えば板ばねやゴム、海綿状の合成樹脂(スポンジ)等を採用することが出来る。
又、操作部材(４)は、回動するものに限らず、直線上を往復移動するものであってもよい。
更に又、本発明はデジタルカメラに限らず、操作部を有する種々の電子機器に実施することも可能である。この場合、操作機構は、ズーム可変装置に限らず、機器を構成する種々の機能部に連繋することが出来る。
【符号の説明】
【００４０】
(１)  筐体
(２)  カバーキャビネット
(21)  取り付け部
(４)  操作部材
(５)  ズーム操作ノブ
(51)  操作部
(52)  ボス
(６)  スプリング保持片
(61)  円板部
(62)  突片
(７)  トーションスプリング
(71)  コイル部
(72)  アーム部
(73)  Ｕ字状部
(８)  ビス
【図１】
2012185351.tif 000003
【図２】
2012185351.tif 000004
【図３】
2012185351.tif 000005
【図４】
2012185351.tif 000006
【図５】
2012185351.tif 000007
【図６】
2012185351.tif 000008
【図７】
2012185351.tif 000009
【図８】
2012185351.tif 000010
【図９】
2012185351.tif 000011
【図１０】
2012185351.tif 000012
【図１１】
2012185351.tif 000013
【図１２】
2012185351.tif 000014